(57)【特許請求の範囲】
【請求項１】
パチンコ遊技機の前面に取り付けられる取付基板と、前記取付基板の前面に取り付けられパチンコ球を貯留する球皿と、前記球皿の前側を覆うカバー体とを備えたパチンコ遊技機における球受皿において、
前記カバー体の裏面に取付基板の前面に当接する裏面板を固着すると共に該裏面板の裏面適宜位置に複数の掛止片を突設し、一方、前記取付基板に前記各掛止片と対応位置させて挿通孔を開設し、また、前記取付基板の裏面に該取付基板に沿ってスライドする固定板を当接し、前記固定板には前記取付基板に沿ってスライドさせることにより前記各挿通孔を介して裏側へ突出させた前記各掛止片と係合する掛止突片を設け、
前記各掛止片に前記各掛止突片を係合させた状態で前記固定板に開設されたビス挿通孔を介して前記球皿の裏面に設けられた螺子孔にビスを螺締することにより前記取付基板に前記球皿、前記カバー体及び前記固定板が一体に取り付けられ、前記ビスを外し前記各掛止片と前記各掛止突片との係合を外すのみで前記取付基板、前記球皿、前記カバー体及び前記固定板が分解できるようにしたことを特徴とするパチンコ遊技機における球受皿。
【発明の詳細な説明】
【０００１】
【発明の属する技術分野】
本発明は、パチンコ遊技機の前面に装着され、打球発射部へ供給されるパチンコ球を貯留する上部球受皿または該上部球受皿から溢れる余剰のパチンコ球を貯留する下部球受皿といったパチンコ遊技機における球受皿に関するものである。
【０００２】
【従来の技術】
従来、パチンコ遊技機の前面にはその上下部に打球発射部へ供給されるパチンコ球を貯留する上部球受皿と、該上部球受皿から溢れるパチンコ球を貯留する下部球受皿がそれぞれ装着されている。これら上・下部球受皿（以下、単に球受皿という。）は、通常パチンコ遊技機の前面に取り付けられる取付基板と、該取付基板の前面に取り付けられパチンコ球を貯留する球皿と、該球皿の前側を覆うようにして取付基板の前面に取り付けられるカバー体とを備えている。ところで、前記取付基板に対する球皿やカバー体の取り付けとしては、
▲１▼球皿とカバー体とを複数個所ビス締めして合体すると共に更に取付基板の前面に球皿とカバー体とを複数個所ビス締めして取付基板に一体に取り付ける。
▲２▼球皿またはカバー体に後端に係合爪を有する複数の弾性片を一体に突設すると共に取付基板には前記各係合爪が係合する係合孔を開設し、前記各係合爪を各係合孔に押し込み係合させることにより球皿とカバー体とを取付基板に一体に取り付ける。
▲３▼各部位を超音波や加熱によって溶着するか、溶剤によって接着することにより球皿，カバー体を取付基板に一体に取り付ける。
といった手段が採られていた。
【０００３】
【発明が解決しようとする課題】
しかしながら、前記各従来の取付手段では、
▲１▼の場合、多くのビスを用いて締め付け作業を行うため余分な手間と時間が掛かり作業性が悪いばかりか、ねじ径や長さが違う異なる種類のビスを使う場合が多く、このためビスのサイズを間違えたりビスの締付時の締付トルク設定を間違え締め直すなど作業が面倒であった。
▲２▼の場合、取り付け作業中に弾性片が折れて球皿またはカバー体を交換するといった必要が生じたり、外部荷重の加わる所では弾性片にねじれが生じ係合爪と係合孔との係合が外れてしまい強度や耐久面での不安要因が有った。
▲３▼の場合、球皿，カバー体，取付基板がそれぞれ溶着または接着されるので、球皿等の分解や組み替え等が出来ず、このため、一部に破損や故障が起きたときアッセンブリー交換で対応するためコスト面で問題が有り、また超音波溶着には設備投資を必要とするため、多品種小ロット生産には不向きであるといった課題が有った。
【０００４】
【課題を解決するための手段】
そこで、本発明は上記各課題を解決するべくなされたもので、ビス締めを極力減らしまた弾性片を使用することなく更には溶着することなく球皿とカバー体とを取付基板に一体に取り付けられ、しかも容易に分解できるようにして取付作業の能率向上と、組み替えメンテナンスの容易化を図ることができるパチンコ遊技機における球受皿を提供することを目的とするものである。
【０００５】
そして、かかる目的を達成するため、パチンコ遊技機の前面に取り付けられる取付基板と、前記取付基板の前面に取り付けられパチンコ球を貯留する球皿と、前記球皿の前側を覆うカバー体とを備えたパチンコ遊技機における球受皿において、前記カバー体の裏面に取付基板の前面に当接する裏面板を固着すると共に該裏面板の裏面適宜位置に複数の掛止片を突設し、一方、前記取付基板に前記各掛止片と対応位置させて挿通孔を開設し、また、前記取付基板の裏面に該取付基板に沿ってスライドする固定板を当接し、前記固定板には前記取付基板に沿ってスライドさせることにより前記各挿通孔を介して裏側へ突出させた前記各掛止片と係合する掛止突片を設け、前記各掛止片に前記各掛止突片を係合させた状態で前記固定板に開設されたビス挿通孔を介して前記球皿の裏面に設けられた螺子孔にビスを螺締することにより前記取付基板に前記球皿、前記カバー体及び前記固定板が一体に取り付けられ、前記ビスを外し前記各掛止片と前記各掛止突片との係合を外すのみで前記取付基板、前記球皿、前記カバー体及び前記固定板が分解できるようにした構成よりなる。
【０００６】
本発明にあっては、取付基板の前面に球皿を当接し、更にその前面を覆うカバー体を当接すると共に各掛止片を各挿通孔からカバー体の裏側へ突出させ、この状態で取付基板の裏面に固定板を配設し、該固定板を取付基板に沿ってスライドさせることにより各掛止片に各掛止突片を係合させる。これにより、取付基板に対し球皿及びカバー体が一体に取り付けられることとなる。
【０００７】
【発明の実施の形態】
以下に本発明に係るパチンコ遊技機における球受皿の実施の形態を図面と共に説明する。図１は本発明が適用されるパチンコ遊技機の正面図である。図において１は機枠であり、該機枠１の前面に中央部に方形状の開口２を設けて額縁状に形成される前面枠３が開閉可能に装着されている。該前面枠３の裏側に前記開口２に望む遊技盤４が配設され、また、該遊技盤４の前面を覆うように上下に配置されるガラス扉枠５及び打球発射部（図示せず。）へ供給されるパチンコ球を貯留する球受皿としての上部球受皿６がそれぞれ装着されている。前記ガラス扉枠５は前記開口２の一側縁に開閉可能に軸着され、上部球受皿６は前面枠３の横幅と同じ幅を有し、このため前面枠３の一側縁に開閉可能に軸着されている。しかもこれらは取り外し可能に設けられている。更に、前記前面枠３の前面下部に開口２を覆うようにして前記上部球受皿６から溢れるパチンコ球を貯留するための下部球受皿７が開閉可能に軸着されており、該下部球受皿７も前面枠３の横幅と同じ幅を有する。８は該下部球受皿７の前面一側に装着される操作ハンドルである。
【０００８】
前記上部球受皿６は、図２ないし図４に示すようにパチンコ遊技機の前面に配置される取付基板９と、該取付基板９の前面に取り付けられパチンコ球を貯留する球皿１０と該球皿１０の前側を覆うカバー体１１とから概ね構成され、該カバー体１１は更に球皿１０の前面を覆う主カバー体１１ａとその両側に位置して取付基板９の前面を覆う副カバー体１１ｂ，１１ｂとに分割形成されている。これら主カバー体１１ａと副カバー体１１ｂ，１１ｂはいずれも合成樹脂材により成形されている。
【０００９】
前記取付基板９は横長長方形状に形成され、一側寄り上部に、球皿１０と連なり、パチンコ遊技機の裏側から払い出されるパチンコ球を球皿１０に導くための賞球口１２が開設され、また所定位置には球皿１０とカバー体１１を取り付けるための挿通孔１３が複数開設されている。更に、取付基板９の一側縁の上下部に後記する軸支部材１６を取り付けるための突起挿通孔１４，１４が設けられ、他側に後記するロック部材１７を取り付けるための突起挿通孔１４が設けられている。１５は取付基板９のほぼ中央に開設され、後記する固定板３７を固定するためのビス挿通孔である。
【００１０】
１６は取付基板９の一側縁裏面に取り付けられる軸支部材であり、１７は他側縁裏面に取り付けられるロック部材である。前記軸支部材１６には、垂直板部１６ａの上端に軸支孔１８を備えた軸支板１６ｂが水平に延設され、また下部一側に前記軸支孔１８と同一軸線上に位置する軸孔１９を有する一対の軸支板１６ｂが設けられ、該各軸孔１９に逆Ｌ字形に形成した支持軸２０がスプリング２１により常に下方へ付勢されるように挿通される。更に、垂直板部１６ａの上下２個所に突起挿通孔２２が設けられる。また、ロック部材１７には、垂直板部１７ａにロック杆２３ａを有するロック板２３ｂが常にスプリング２４により上方へ付勢されるように設けられ、また該ロック板２３ｂの上下部に後方へ水平に突出する一対の鉤片２５，２５が設けられている。更に、垂直板部１７ａの上端に突起挿通孔２６が設けられている。
【００１１】
前記球皿１０は、パチンコ球を貯留する皿部１０ａの上縁部分を囲う飾板部１０ｂと皿部１０ａの下方に延出する側板部１０ｃとを有する。前記皿部１０ａは底部が一方に緩やかに下り傾斜し、その傾斜下部にパチンコ球が一列に整列されて流下する整流部２７が形成されている。この整流部２７の下流端はこれと対向して取付基板９に開設されパチンコ球を取付基板９の裏側に流出させる球出口２８に連なるようになっている。また、球皿１０の外周縁に該球皿１０を取付基板９に取り付けるため、前記挿通孔１３に対応させて複数の取付用孔２９が設けられている。
【００１２】
前記主カバー体１１ａは、球皿１０の前面全体を覆うように前側へ膨らむ、膨出部３０を有し、また外周縁に前記球皿１０と同じように挿通孔１３に対応させて複数の取付用孔３１が設けられている。なお、前記球皿１０の各取付用孔２９と主カバー体１１ａの取付用孔３１とはいずれも重ならない位置に設けられている。
【００１３】
前記各副カバー体１１ｂは、主カバー体１１ａをその両側から囲うように配置され、これら副カバー体１１ｂの裏面の適宜位置に、後端面に螺子孔３２を有する突起３３が一体に設けられている。３４ａ，３４ｂは各副カバー体１１ｂ，１１ｂの裏面に超音波溶着により一体に接合される合成樹脂製の裏面板であり、その裏面に前記取付基板９の各挿通孔１３と対応位置させて複数の掛止片３５が設けられている。各掛止片３５は一側が開口した枠状に成形される。また、各裏面板３４ａ，３４ｂには前記各突起３３と対応位置させて突起挿通孔３６が開設されている。
【００１４】
３７は取付基板９の裏面に当接するように配設され、前記球皿１０とカバー体１１とを取り付けるための固定板である。該固定板３７には、その裏面の一側上部に前記取付基板９の賞球口１２と連通する接続筒３８が設けられ、他側に前記球出口２８から裏側へ流出するパチンコ球を受け入れ打球発射部（図示せず。）へ打球杆（図示せず。）の発射動作と連動して１個ずつ供給する打球供給装置３９が配置されている。そして、固定板３７の外周縁に前記各挿通孔１３を介し裏側へ突出する各掛止片３５に対応位置させて、固定板３７を取付基板９の裏面に沿ってスライドさせることにより各掛止片３５に係合する掛止突片４０が複数設けられている。また、ほぼ中央に固定板３７を固定するため取付基板９のほぼ中央のビス挿通孔１５と連通するビス挿通孔４１が設けられている。
【００１５】
上部球受皿６は上記構成よりなり、次に各構成部品の取付順序を説明する。まず、球皿１０の前側に主カバー体１１ａを嵌合して各取付用孔２９，３１が各挿通孔１３と連通するようにして取付基板９の前面に当接する。次に、各裏面板３４ａ，３４ｂが接合された各副カバー体１１ｂ，１１ｂを主カバー体１１ａの両側を囲うようにして取付基板９の前面に当接する。これにより、各取付用孔２９，３１を介して各挿通孔１３から取付基板９の裏側に各掛止片３５が突出する。更に、取付基板９の裏面一側縁に各突起挿通孔２２を取付基板９の各突起挿通孔１４と連通させるようにして軸支部材１６を当接し、この状態で各突起挿通孔２２を介して裏側に突出する突起３３にワッシャ４２を当て一方の副カバー体１１ｂの各螺子孔３２にビス４３を螺締する。これによって、取付基板９の一方に副カバー体１１ｂと軸支部材１６とが一体に取り付けられる。
【００１６】
また、取付基板９の裏面他側縁に、突起挿通孔２６と突起挿通孔１４とが連通するようにしてロック部材１７を当接し、この状態で裏側から突起挿通孔２６にワッシャ４２を当て前記他方の副カバー体１１ｂの螺子孔３２にビス４３を螺締する。これによって、取付基板９に他方の副カバー体１１ｂとロック部材１７とが一体に取り付けられる。
【００１７】
最後に、取付基板９の裏面に固定板３７を当接し、図５，図６に示すように該固定板３７を取付基板９の裏面に沿って横方向へスライドさせ各掛止片３５に各掛止突片４０を係合させる。この状態で、裏側から固定板３７に開設されたビス挿通孔４１を介して球皿１０の裏面に設けられた螺子孔４４にビス４３を螺締する。これにより、固定板３７が戻ることなくしっかりと固定され取付基板９に固定板３７と共に球皿１０と主カバー体１１ａとが一体に取り付けられる。このように、裏面板３４ａ，３４ｂの各掛止片３５と固定板３７の掛止突片４０とを係脱自在に係合させることにより、従来に比べほとんどビスを使用することなく上部球受皿６が組み立てられ、また僅かな本数のビス４３を取り外すのみで取付基板９，球皿１０，カバー体１１などの構成部品が容易に分解できる。
【００１８】
図７以降は、同じ球受皿である下部球受皿に関するもので、該下部球受皿は前記上部球受皿とほぼ同様な構成部品から成り立っており、このため重複説明を避けるべく上部球受皿と同様な個所は同一名称、同一符号を付すようにした。
すなわち、下部球受皿７も取付基板９と球皿１０とカバー体１１とから概ね構成され、また、該カバー体１１は球皿１０の前面を覆う主カバー体１１ａとその両側に位置して取付基板９の前面を覆う副カバー体１１ｂ，１１ｂとに分割成形されている。
【００１９】
前記取付基板９は横長長方形状に形成され、一側寄りに球皿１０と連なり上部球受皿６から溢れるパチンコ球を球皿１０に導くための溢出口４５が開設され、また所定位置には球皿１０とカバー体１１を取り付けるための挿通孔１３が複数開設されている。また、取付基板９の一側寄りに後記する操作ハンドル８を取り付けるための３個のビス挿通孔４６が設けられている。
【００２０】
前記球皿１０には底部に球抜口４７が設けられている。４８は球皿１０の下面に取り付けられる球抜用の装置枠であり、前記球抜口４７と連通する排出口４９が成形され、適宜位置に球皿１０の下面から下方へ突設される突起５０にビスを挿通するためのビス挿通孔５１が設けられている。また、装置枠４８の後端両側に前記挿通孔１３に対応位置して挿通孔１３と連通する取付用孔５２が設けられている。
【００２１】
前記主カバー体１１ａは、球皿１０の前面全体を覆うように前側へ膨らむ膨出部３０を有し、後端両側縁に一対の係止爪５３，５３が突設されている。また各副カバー体１１ｂは、主カバー体１１ａをその両側から囲うように配置され、これら各副カバー体１１ｂ，１１ｂの裏面に超音波溶着により裏面板３４ａ，３４ｂが一体に接合されている。また、一方の副カバー体１１ｂには操作ハンドル８を取着するための保持孔５４が開設されている。また、前記各裏面板３４ａ，３４ｂの裏面に前記取付基板９の各挿通孔１３と対応位置させて複数の掛止孔３５が設けられ、前記取付基板９の両側端縁の各突起挿通孔１４に対応位置させて後端面に螺子孔３２を有する突起３３が一体に設けられている。
【００２２】
取付基板９の裏面に当接する固定板３７には、その外周縁に前記各挿通孔１３を介し裏側へ突出する各掛止片３５に対応位置させて、固定板３７を取付基板９の裏面に沿ってスライドさせることにより各掛止片３５に係合する掛止突片４０が複数設けられている。また、取付基板９の３個の各ビス挿通孔４６と連通するビス挿通孔５５が設けられている。５６は操作ハンドル８から引き出される配線（図示せず。）を前面枠３の裏側に導くため固定板３７の裏面に横断状に設けられる配線保持部である。
【００２３】
下部球受皿７は上記構成よりなり、まず球皿１０の下面に装置枠４８を配置し、各突起５０に各ビス挿通孔５１を介して、ビス５７を螺合して球皿１０に装置枠４８を一体に取り付け、更に該球皿１０に主カバー体１１ａを嵌合した状態で両側の各係止爪５３をこれらと対応位置して取付基板９に設けられた各係止孔５８に係合させて取付基板９の前面に当接する。このとき、装置枠４８の両側の取付用孔５２が取付基板９の挿通孔１３に対応位置している。
【００２４】
次に、各裏面板３４ａ，３４ｂが接合された各副カバー体１１ｂ，１１ｂを主カバー体１１ａの両側を囲うようにして取付基板９の前面に当接する。これにより、各挿通孔１３から取付基板９の裏側に各掛止片３５が突出する。更に、取付基板９の裏面両側縁にそれぞれ軸支部材１６とロック部材１７を当接し、ワッシャ４２を介して螺子孔３２にビス４３を螺合することにより取付基板９に各副カバー体１１ｂと軸支部材１６とロック部材１７が一体に取り付けられる。そして、取付基板９の裏面に固定板３７を当接し、図１０に示すように該固定板３７を取付基板９の裏面に沿って横方向へスライドさせ各掛止片３５に各掛止突片４０を係合させる。この状態で、保持孔５４に操作ハンドル８を挿通し、裏側から固定板３７の各ビス挿通孔５５を介して操作ハンドル８に設けた螺子孔（図示せず。）にビス５９を螺締する。これにより固定板３７が戻ることなくしっかりと固定され取付基板９に固定板３７と共に球皿１０と主カバー体１１ａとが一体に取り付けられる。
【００２５】
前記下部球受皿７の場合も、裏面板３４ａ，３４ｂの各掛止片３５と固定板３７の掛止突片４０とを係脱自在に係合させることにより、従来に比べほとんどビスを使用することなく組み立てられ、また僅かな本数のビスを取り外すのみで取付基板９，球皿１０，カバー体１１などの構成部品が容易に分解できる。
【００２６】
【発明の効果】
以上、説明したように本発明に係るパチンコ遊技機における球受皿は、取付基板とその前面に取り付けられる球皿と、該球皿の前面を覆うカバー体とを備えたパチンコ遊技機における球受皿において、カバー体の裏面に取付基板の挿通孔から取付基板の裏面に突出する複数の掛止片を設け、取付基板の裏面に複数の掛止突片を設けた固定板を配設すると共に該固定板を取付基板に沿ってスライドさせることにより各掛止突片を前記各掛止片に係脱自在に係合させるようにしたので、球受皿が僅かなビス締めにより組み立てられ、その分余分な手間や時間を省くことができ作業能率の向上が図られる。また、ビスの種類も統一でき作業上のサイズを間違えたり締付トルク設定を間違えるといったことがなく、しかもビスの管理も容易となる。
【００２７】
また、掛止片と掛止突片とはスライドにより係合する構造であることから、掛止突片が折れるといった心配がなく、耐久性に優れる。
【００２８】
更に、僅かなビスを取り外し、掛止片と掛止突片との係合を外すのみで、球受皿が各構成部品に容易に分解できるので、個々の変換が可能となってコストの低廉が図られ、超音波溶着などのような大きな設備投資が不要となるばかりか、多品種小ロット生産にも対応可能である。しかも、ゴミ処理またはリサイクル時の分別も容易になるという効果を有する。
【図面の簡単な説明】
【図１】  本発明が適用されるパチンコ遊技機の正面図。
【図２】  上部球受皿の斜視図。
【図３】  上部球受皿の分解斜視図。
【図４】  上部球受皿の裏面斜視図。
【図５】  上部球受皿の一部裏面図。
【図６】  上部球受皿の平面断面図。
【図７】  下部球受皿の斜視図。
【図８】  下部球受皿の分解斜視図。
【図９】  下部球受皿の裏面斜視図。
【図１０】  下部球受皿の平面断面図。
【符号の説明】
６                    球受皿（上部球受皿）
７                    球受皿（下部球受皿）
９                    取付基板
１０                  球皿
１１                  カバー体
１３                  挿通孔
３４ａ，３４ｂ        裏面板
３５                  掛止片
３７                  固定板
４０                  掛止突片
４１                  ビス挿通孔
４３                  ビス
４４                  螺子孔
【図１】
0004404395.tif 000002
【図２】
0004404395.tif 000003
【図３】
0004404395.tif 000004
【図４】
0004404395.tif 000005
【図５】
0004404395.tif 000006
【図６】
0004404395.tif 000007
【図７】
0004404395.tif 000008
【図８】
0004404395.tif 000009
【図９】
0004404395.tif 000010
【図１０】
0004404395.tif 000011